(57)【要約】【課題】組み付け作業の容易性を担保しつつ反射部材の変形を規制する。【解決手段】バックライト装置１２は、ＬＥＤ１７と、ＬＥＤ１７をその表側から覆う拡散レンズ１９と、ＬＥＤ１７に対して裏側に配される底板１４ａを有するシャーシ１４と、底板１４ａと拡散レンズ１９との間に介在し底板１４ａの板面に沿って延在していて光を反射させるものであって、拡散レンズ１９を通すレンズ挿通孔２１ｄを有する反射シート２１と、反射シート２１におけるレンズ挿通孔２１ｄＡの孔縁の少なくとも一部により構成され、拡散レンズ１９に対して表側から視て重畳する位置に配されることで、反射シート２１が表側に変位するのを規制可能な規制部２２と、反射シート２１におけるレンズ挿通孔２１ｄＡの孔縁に設けられ、規制部２２が拡散レンズ１９に対して表側から視て非重畳となる位置まで変位するよう、レンズ挿通孔２１ｄＡを拡開させる拡開許容部２３と、を備える。【選択図】図１０
2013118055.tif 000002
【特許請求の範囲】
【請求項１】
光源と、
前記光源をその光出射側から覆う形で配されるとともに前記光源からの光に光学的作用を付与してその光を出射する光学素子と、
前記光源に対して前記光出射側とは反対側に配される底板を有するシャーシと、
前記シャーシの前記底板と前記光学素子との間に介在する形で配されるとともに前記底板の板面に沿って延在していて光を反射させる反射部材であって、前記光学素子を通す挿通孔を有する反射部材と、
前記反射部材における前記挿通孔の孔縁の少なくとも一部により構成され、前記光学素子に対して前記光出射側から視て重畳する位置に配されることで、前記反射部材が前記光出射側に変位するのを規制可能な規制部と、
前記反射部材における前記挿通孔の孔縁に設けられ、前記規制部が前記光学素子に対して前記光出射側から視て非重畳となる位置まで変位するよう、前記挿通孔を拡開させる拡開許容部と、を備える照明装置。
【請求項２】
前記光源が複数実装されるとともに複数の前記光源を個別に覆う形で前記光学素子が複数取り付けられ、前記シャーシの前記底板に対して前記光出射側に配される光源基板が備えられており、
前記反射部材は、前記光学素子と前記光源基板との間に介在するよう配されるとともに、複数の前記光学素子を個別に通す前記挿通孔を複数有している請求項１記載の照明装置。
【請求項３】
前記光源基板は、前記シャーシの前記底板の板面内に複数が並んだ状態で配されており、
前記反射部材は、前記底板の板面に沿って延在するとともに複数の前記光源基板に跨る形で配される底部を有している請求項２記載の照明装置。
【請求項４】
前記反射部材の前記底部には、その面内に前記挿通孔が行列状に複数ずつ並んで配されており、
複数の前記挿通孔のうち少なくとも前記底部の角位置に配される前記挿通孔は、その孔縁の少なくとも一部が前記規制部とされるとともにその孔縁に前記拡開許容部が設けられている請求項３記載の照明装置。
【請求項５】
前記反射部材は、前記底部の端部から前記光出射側に向けて立ち上がる立ち上がり部を有しており、
複数の前記挿通孔のうち少なくとも前記立ち上がり部に隣り合う位置に配される前記挿通孔は、その孔縁の少なくとも一部が前記規制部とされるとともにその孔縁に前記拡開許容部が設けられている請求項３または請求項４記載の照明装置。
【請求項６】
複数の前記挿通孔のうち少なくとも前記光源基板の端部に隣り合う位置に配される前記挿通孔は、その孔縁の少なくとも一部が前記規制部とされるとともにその孔縁に前記拡開許容部が設けられている請求項３から請求項５のいずれか１項に記載の照明装置。
【請求項７】
複数の前記光源基板は、前記シャーシの前記底板の板面内において互いに隣り合って配されるとともに相互を電気的に接続する基板接続部を有しているのに対し、前記反射部材の前記底部には、前記基板接続部を通す接続部挿通孔が設けられており、
複数の前記挿通孔のうち少なくとも前記接続部挿通孔に対して隣り合う位置に配される前記挿通孔は、その孔縁の少なくとも一部が前記規制部とされるとともにその孔縁に前記拡開許容部が設けられている請求項６記載の照明装置。
【請求項８】
前記光学素子と前記光源基板との間には、前記光学素子を前記光源基板における前記光源の実装面から前記光出射側に離れた位置に支持する光学素子支持部が前記光学素子の周方向に沿って設けられており、
前記挿通孔は、前記光学素子支持部を取り囲むような孔径を有している請求項２から請求項７のいずれか１項に記載の照明装置。
【請求項９】
前記拡開許容部は、前記挿通孔の孔縁に形成されたスリットにより構成される請求項１から請求項８のいずれか１項に記載の照明装置。
【請求項１０】
前記規制部は、前記挿通孔の孔縁の全周にわたって配されている請求項９記載の照明装置。
【請求項１１】
前記スリットは、前記挿通孔の孔縁において一対が一直線上に位置するよう配されている請求項９または請求項１０記載の照明装置。
【請求項１２】
前記拡開許容部は、前記挿通孔の孔縁に部分的に形成された開口部により構成されている請求項１から請求項８のいずれか１項に記載の照明装置。
【請求項１３】
前記光学素子が前記光出射側から視て略円形をなすのに対し、前記挿通孔は、前記光出射側から視て略長円形状をなすとともにその長辺寸法が前記光学素子の径寸法よりも大きいのに対して、短辺寸法が前記光学素子の径寸法よりも小さくなっており、
前記挿通孔の孔縁における長辺側の孔縁が、前記光出射側から視て前記光学素子と重畳する前記規制部とされるのに対し、前記開口部は、前記光出射側から視て前記挿通孔の孔縁における短辺側の孔縁と前記光学素子との間に形成されることで前記拡開許容部を構成している請求項１２記載の照明装置。
【請求項１４】
請求項１から請求項１３のいずれか１項に記載の照明装置と、前記照明装置からの光を利用して表示を行う表示パネルとを備える表示装置。
【請求項１５】
請求項１４に記載された表示装置を備えるテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。液晶表示装置の高輝度化を実現するには、直下型のバックライト装置を用いるのが好ましく、その一例として下記特許文献１に記載されたものが知られている。
【０００３】
この特許文献１に記載された直下型のバックライト装置は、液晶パネルの裏側（光出射側とは反対側）に設置されるようになっており、液晶パネル側の面が開口したシャーシと、シャーシ内に収容される複数のＬＥＤと、ＬＥＤを表側から個別に覆う形で配されるレンズ部材と、ＬＥＤが実装されるとともにレンズ部材が取り付けられるＬＥＤ基板と、シャーシの内面に沿って延在するとともにＬＥＤ基板を覆う形で配されて光をシャーシの開口部側に反射させる反射シートと、シャーシの開口部に配されてＬＥＤが発する光を効率的に液晶パネル側へ放出させるための光学部材（拡散シート等）とを備える。
【先行技術文献】
【特許文献】
【０００４】
【特許文献１】特開２０１１−３４９４８号公報
【発明の概要】
【発明が解決しようとする課題】
【０００５】
上記した構成のバックライト装置においては、反射シートにレンズ部材を通す挿通孔が設けられている。挿通孔の孔径は、レンズ部材の径寸法よりも大きくなっており、それによりＬＥＤ及びレンズ部材が組み付けられた状態のＬＥＤ基板に対して表側から反射シートを敷設することが可能とされるとともに、組み付け作業の容易性が担保されている。しかしながら、反射シートに変形が生じたときに挿通孔の孔縁が表側に変位すると、レンズ部材からの出射光が挿通孔の孔縁によって遮られてしまい、輝度ムラを生じさせるおそれがあった。
【０００６】
本発明は上記のような事情に基づいて完成されたものであって、組み付け作業の容易性を担保しつつ反射部材の変形を規制することを目的とする。
【課題を解決するための手段】
【０００７】
本発明の照明装置は、光源と、前記光源をその光出射側から覆う形で配されるとともに前記光源からの光に光学的作用を付与してその光を出射する光学素子と、前記光源に対して前記光出射側とは反対側に配される底板を有するシャーシと、前記シャーシの前記底板と前記光学素子との間に介在する形で配されるとともに前記底板の板面に沿って延在していて光を反射させる反射部材であって、前記光学素子を通す挿通孔を有する反射部材と、前記反射部材における前記挿通孔の孔縁の少なくとも一部により構成され、前記光学素子に対して前記光出射側から視て重畳する位置に配されることで、前記反射部材が前記光出射側に変位するのを規制可能な規制部と、前記反射部材における前記挿通孔の孔縁に設けられ、前記規制部が前記光学素子に対して前記光出射側から視て非重畳となる位置まで変位するよう、前記挿通孔を拡開させる拡開許容部と、を備える。
【０００８】
このようにすれば、光源を点灯させると、光源をその光出射側から覆う形で配される光学素子によって光源からの光に光学作用が付与されてから出射される。当該照明装置内に存する光は、シャーシの底板と光学素子との間に介在する形で配されるとともに底板の板面に沿って延在する反射部材によって反射されることで、光出射側へと立ち上げられ、それにより当該照明装置の出射光として有効に利用される。
【０００９】
ところで、反射部材に反りや撓みなどの変形が生じ、反射部材が光学素子に対して光出射側に変位した場合には、反射部材によって光学素子からの光が遮られることが懸念される。その点、本発明では、反射部材における挿通孔の孔縁の少なくとも一部により構成される規制部が、光学素子に対して光出射側から視て重畳する位置に配されることで反射部材が光出射側に変位するのが規制されている。これにより、反射部材によって光学素子からの光が遮られるのを防ぐことができ、もって当該照明装置の出射光にムラが生じ難くなっている。
【００１０】
ここで、上記のように光学素子に対して光出射側から視て重畳する位置に規制部を設けるようにすると、当該照明装置の組み付けに際して、光学素子を既設とした状態で、反射部材をその光学素子の光出射側から組み付ける、といった手順での作業を行うのが難しくなる事が懸念される。その点、本発明では、反射部材における挿通孔の孔縁に拡開許容部が設けられているから、反射部材の組み付けに際しては、拡開許容部によって挿通孔を拡開させることで、規制部が光学素子に対して光出射側から視て非重畳となる位置まで変位される。これにより、既設の光学素子に対してその光出射側から反射部材を組み付ける作業を容易に行うことができる。
【００１１】
本発明の実施態様として、次の構成が好ましい。
（１）前記光源が複数実装されるとともに複数の前記光源を個別に覆う形で前記光学素子が複数取り付けられ、前記シャーシの前記底板に対して前記光出射側に配される光源基板が備えられており、前記反射部材は、前記光学素子と前記光源基板との間に介在するよう配されるとともに、複数の前記光学素子を個別に通す前記挿通孔を複数有している。このようにすれば、複数の光源が実装されるとともに複数の光学素子が取り付けられた状態の光源基板に対して反射部材を光出射側から組み付ける際にも、拡開許容部によって挿通孔を拡開させることで、規制部が光学素子に対して光出射側から視て非重畳となる位置まで変位されるから、反射部材の組み付け作業を容易に行うことができる。これにより、光源基板に光源及び光学素子を予め組み付けることができるから、生産性が高いものとなり、コスト面で有利となる。
【００１２】
（２）前記光源基板は、前記シャーシの前記底板の板面内に複数が並んだ状態で配されており、前記反射部材は、前記底板の板面に沿って延在するとともに複数の前記光源基板に跨る形で配される底部を有している。このようにすれば、複数の光源基板をシャーシの底板の板面内に並んだ状態で組み付けた後に、底板に沿って延在するとともに複数の光源基板に跨る形で配される底部を有する反射部材を、各光源基板に対して光出射側から容易に組み付けることができる。複数の光源基板に、それぞれ光源及び光学素子を予め組み付けておくことができるから、生産性がより高いものとなってコスト面でより有利となる。
【００１３】
（３）前記反射部材の前記底部には、その面内に前記挿通孔が行列状に複数ずつ並んで配されており、複数の前記挿通孔のうち少なくとも前記底部の角位置に配される前記挿通孔は、その孔縁の少なくとも一部が前記規制部とされるとともにその孔縁に前記拡開許容部が設けられている。反射部材の底部の角位置に配される挿通孔は、その中央側に配される挿通孔に比べると、寸法誤差や組み付け誤差などの影響によって光学素子に対して位置ずれし易い傾向にあり、それに起因して孔縁が光学素子に対して光出射側に変位し易くなっている。その点、上記のように複数の挿通孔のうち少なくとも底部の角位置に配される挿通孔について、その孔縁の少なくとも一部を規制部とするとともにその孔縁に拡開許容部を設けるようにしておけば、規制部によって光学素子に対する挿通孔の孔縁の変位を規制することができるとともに拡開許容部によって組み付け作業の容易性についても十分に担保することができる。
【００１４】
（４）前記反射部材は、前記底部の端部から前記光出射側に向けて立ち上がる立ち上がり部を有しており、複数の前記挿通孔のうち少なくとも前記立ち上がり部に隣り合う位置に配される前記挿通孔は、その孔縁の少なくとも一部が前記規制部とされるとともにその孔縁に前記拡開許容部が設けられている。このようにすれば、底部の端部から光出射側に向けて立ち上がり部は、底部からの立ち上がり角度に応じて当該照明装置内に存する光を角度付けしつつ反射することができる。立ち上がり部に隣り合う位置に配される挿通孔の孔縁には、底部から立ち上がり部が立ち上がっているのに伴う残留応力が作用し易い傾向にあって変形が生じ易くなっているものの、上記したようにその挿通孔について、孔縁の少なくとも一部を規制部とするとともに孔縁に拡開許容部を設けるようにしておけば、規制部によって光学素子に対する挿通孔の孔縁の変位を規制することができるとともに拡開許容部によって組み付け作業の容易性についても十分に担保することができる。
【００１５】
（５）複数の前記挿通孔のうち少なくとも前記光源基板の端部に隣り合う位置に配される前記挿通孔は、その孔縁の少なくとも一部が前記規制部とされるとともにその孔縁に前記拡開許容部が設けられている。反射部材の底部は、複数の光源基板に跨る形で配されているため、光源基板の端部付近においては寸法誤差や組み付け誤差などの影響によって段差や凹凸が生じ易くなっており、そのため光源基板の端部に隣り合う位置に配される挿通孔の孔縁には、変形が生じ易くなっているものの、上記したようにその挿通孔について、孔縁の少なくとも一部を規制部とするとともに孔縁に拡開許容部を設けるようにしておけば、規制部によって光学素子に対する挿通孔の孔縁の変位を規制することができるとともに拡開許容部によって組み付け作業の容易性についても十分に担保することができる。
【００１６】
（６）複数の前記光源基板は、前記シャーシの前記底板の板面内において互いに隣り合って配されるとともに相互を電気的に接続する基板接続部を有しているのに対し、前記反射部材の前記底部には、前記基板接続部を通す接続部挿通孔が設けられており、複数の前記挿通孔のうち少なくとも前記接続部挿通孔に対して隣り合う位置に配される前記挿通孔は、その孔縁の少なくとも一部が前記規制部とされるとともにその孔縁に前記拡開許容部が設けられている。基板接続部を通す接続部挿通孔の近くでは、基板接続部が配されている都合上、反射部材の底部の変形を規制する他の構造物を設置し難くなっているものの、上記したように複数の挿通孔のうち少なくとも接続部挿通孔に対して隣り合う位置に配される挿通孔について、孔縁の少なくとも一部を規制部とするとともに孔縁に拡開許容部を設けるようにしておけば、規制部によって光学素子に対する挿通孔の孔縁の変位を規制することができるとともに拡開許容部によって組み付け作業の容易性についても十分に担保することができる。
【００１７】
（７）前記光学素子と前記光源基板との間には、前記光学素子を前記光源基板における前記光源の実装面から前記光出射側に離れた位置に支持する光学素子支持部が前記光学素子の周方向に沿って設けられており、前記挿通孔は、前記光学素子支持部を取り囲むような孔径を有している。このようにすれば、光学素子支持部によって光学素子を光源基板における光源の実装面から光出射側に離れた位置に支持することができ、それにより光学素子の光学的機能を十分に発揮させることができる。挿通孔が光学素子支持部を取り囲むような孔径を有しているので、反射部材を光学素子に対して光出射側から組み付ける際に、挿通孔を光学素子支持部に容易に通すことができる。
【００１８】
（８）前記拡開許容部は、前記挿通孔の孔縁に形成されたスリットにより構成される。このようにすれば、反射部材を光学素子に対して光出射側から組み付ける際には、スリットを拡開させることで、挿通孔が拡開されるとともに規制部が光学素子に対して光出射側から視て非重畳となる位置まで変位されて組み付けが許容される。組み付け後は、スリットを閉じることができるので、仮に挿通孔の孔縁に部分的な開口部を形成することで拡開許容部を設けた場合に比べると、反射部材の面積を大きく確保することができるとともに規制部の形成範囲についても大きくすることができる。これにより、反射部材によってより多くの光を反射して光の利用効率を向上させることができるとともに、規制部による反射部材の変形防止機能を向上させることができる。
【００１９】
（９）前記規制部は、前記挿通孔の孔縁の全周にわたって配されている。このようにすれば、挿通孔の孔縁の全周にわたって配される規制部によって、反射部材が光学素子に対して光出射側に変位するのをより確実に規制することができる。
【００２０】
（１０）前記スリットは、前記挿通孔の孔縁において一対が一直線上に位置するよう配されている。このようにすれば、挿通孔を容易に拡開することができて作業性に優れる。
【００２１】
（１１）前記拡開許容部は、前記挿通孔の孔縁に部分的に形成された開口部により構成されている。このようにすれば、反射部材を光学素子に対して光出射側から組み付ける際には、挿通孔の孔縁に部分的に形成された開口部によって挿通孔を拡開させることが許容されるので、それに伴って規制部が光学素子に対して光出射側から視て非重畳となる位置まで変位されて組み付けが許容される。仮に挿通孔の孔縁にスリットを形成することで拡開許容部を設けた場合に比べると、挿通孔を拡開させる際に挿通孔の孔縁に切れなどが生じ難くなる。
【００２２】
（１２）前記光学素子が前記光出射側から視て略円形をなすのに対し、前記挿通孔は、前記光出射側から視て略長円形状をなすとともにその長辺寸法が前記光学素子の径寸法よりも大きいのに対して、短辺寸法が前記光学素子の径寸法よりも小さくなっており、前記挿通孔の孔縁における長辺側の孔縁が、前記光出射側から視て前記光学素子と重畳する前記規制部とされるのに対し、前記開口部は、前記光出射側から視て前記挿通孔の孔縁における短辺側の孔縁と前記光学素子との間に形成されることで前記拡開許容部を構成している。このようにすれば、反射部材を光学素子に対して光出射側から組み付ける際には、挿通孔の孔縁における短辺側の孔縁と光学素子との間に形成される開口部により構成される拡開許容部によって、略長円形状をなす挿通孔を短辺方向に沿って拡開させることが許容されるので、それに伴って長辺側の孔縁により構成される規制部が光学素子に対して光出射側から視て非重畳となる位置まで変位されて組み付けが許容される。
【００２３】
次に、上記課題を解決するために、本発明の表示装置は、上記記載の照明装置と、前記照明装置からの光を利用して表示を行う表示パネルとを備える。
【００２４】
このような表示装置によると、表示パネルに対して光を供給する照明装置が、当該表示パネルとの間で干渉縞を生じさせ難いものであるため、表示品質の優れた表示を実現することが可能となる。
【００２５】
前記表示パネルとしては液晶パネルを例示することができる。このような表示装置は液晶表示装置として、種々の用途、例えばテレビやパソコンのディスプレイ等に適用でき、特に大型画面用として好適である。
【発明の効果】
【００２６】
本発明によれば、組み付け作業の容易性を担保しつつ反射部材の変形を規制することができる。
【図面の簡単な説明】
【００２７】
【図１】本発明の実施形態１に係るテレビ受信装置の概略構成を示す分解斜視図
【図２】液晶表示装置の概略構成を示す分解斜視図
【図３】液晶表示装置に備わるバックライト装置におけるシャーシ、反射シート及びＬＥＤ基板（拡散レンズ）の配置構成を示す平面図
【図４】図３のiv-iv線断面図
【図５】図３のv-v線断面図
【図６】反射シートの底部における角部付近の拡大平面図
【図７】図６のvii-vii線断面図
【図８】反射シートの底部における中央側のコネクタ挿通孔付近の拡大平面図
【図９】図８のix-ix線断面図
【図１０】レンズ挿通孔の孔縁に備えられる規制部及び拡開許容部の配置構成を示す平面図
【図１１】本発明の実施形態２に係るレンズ挿通孔の孔縁に備えられる規制部及び拡開許容部の配置構成を示す平面図
【図１２】本発明の実施形態３に係るレンズ挿通孔の孔縁に備えられる規制部及び拡開許容部の配置構成を示す平面図
【図１３】本発明の実施形態４に係るレンズ挿通孔の孔縁に備えられる規制部及び拡開許容部の配置構成を示す平面図
【図１４】本発明の実施形態５に係るシャーシ、反射シート及びＬＥＤ基板（拡散レンズ）の配置構成を示す平面図
【図１５】反射シートの底部における中央部付近の拡大平面図
【発明を実施するための形態】
【００２８】
＜実施形態１＞
本発明の実施形態１を図１から図１０によって説明する。本実施形態では、液晶表示装置１０について例示する。なお、各図面の一部にはＸ軸、Ｙ軸及びＺ軸を示しており、各軸方向が各図面で示した方向となるように描かれている。また、図４及び図５に示す上側を表側とし、同図下側を裏側とする。
【００２９】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長（長手）の方形状（矩形状、長方形状）をなし、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００３０】
次に、液晶表示装置１０を構成する液晶パネル１１及びバックライト装置１２について順次に説明する。このうち、液晶パネル（表示パネル）１１は、表側（光出射側）から視て横長な方形状をなしており、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。液晶パネル１１は、その画面中央側にあって画像が表示可能な表示領域と、画面外周端側にあって表示領域の周りを取り囲む枠状（額縁状）をなす非表示領域とに区分することができる。なお、両基板の外側には偏光板が配されている。
【００３１】
続いて、バックライト装置１２について詳しく説明する。バックライト装置１２は、図２に示すように、表側（光出射側、液晶パネル１１側）に開口する光出射部（開口部）１４ｂを有した略箱型をなすシャーシ１４と、シャーシ１４の光出射部１４ｂを覆うようにして配される光学部材１５と、シャーシ１４の外縁部に沿って配され光学部材１５の外縁部をシャーシ１４との間で挟んで保持するフレーム１６とを備える。さらに、シャーシ１４内には、光源であるＬＥＤ１７（Light Emitting Diode：発光ダイオード）と、ＬＥＤ１７が実装されたＬＥＤ基板（光源基板）１８と、ＬＥＤ基板１８においてＬＥＤ１７に対応した位置に取り付けられる拡散レンズ（光学素子、レンズ部材）１９とが備えられる。その上、シャーシ１４内には、ＬＥＤ基板１８をシャーシ１４との間で保持することが可能な基板保持部材２０と、シャーシ１４内の光を表側（光出射側、光学部材１５側）に向けて反射させる反射シート（反射部材）２１とが備えられる。このように、本実施形態に係るバックライト装置１２は、シャーシ１４内において液晶パネル１１（光学部材１５）における表示領域の直下位置にＬＥＤ１７が配される、いわゆる直下型とされる。以下では、バックライト装置１２の各構成部品について詳しく説明する。
【００３２】
シャーシ１４は、例えばアルミニウム板や電気亜鉛めっき綱板（ＳＥＣＣ）などの金属板からなり、図３から図５に示すように、液晶パネル１１と同様に横長な方形状（矩形状、長方形状）をなす底板１４ａと、底板１４ａの各辺（一対の長辺及び一対の短辺）の外端からそれぞれ表側（光出射側）に向けて立ち上がる側板１４ｃと、各側板１４ｃの立ち上がり端から外向きに張り出す受け板１４ｄとからなり、全体としては表側に向けて開口した浅い略箱型（略浅皿状）をなしている。シャーシ１４は、その長辺方向がＸ軸方向と一致し、短辺方向がＹ軸方向と一致している。シャーシ１４における底板１４ａは、ＬＥＤ基板１８に対して裏側、つまりＬＥＤ１７の光出射側とは反対側に配されている。シャーシ１４における各受け板１４ｄには、表側からフレーム１６及び次述する光学部材１５が載置可能とされる。各受け板１４ｄには、フレーム１６がねじ止めされている。シャーシ１４の底板１４ａには、基板保持部材２０を取り付けるための取付孔１４ｅが開口して設けられている。取付孔１４ｅは、底板１４ａにおいて基板保持部材２０の取付位置に対応して複数分散配置されている。
【００３３】
光学部材１５は、図２に示すように、液晶パネル１１及びシャーシ１４と同様に表側から視て横長の方形状をなしている。光学部材１５は、図４及び図５に示すように、その外縁部が受け板１４ｄに載せられることで、シャーシ１４の光出射部１４ｂを覆うとともに、液晶パネル１１とＬＥＤ１７との間に介在して配される。光学部材１５は、ＬＥＤ１７に対して表側、つまり光出射側に所定の間隔を空けて対向状をなしている。光学部材１５は、裏側（ＬＥＤ１７側、光出射側とは反対側）に配される拡散板１５ａと、表側（液晶パネル１１側、光出射側）に配される光学シート１５ｂとから構成される。拡散板１５ａは、所定の厚みを持つほぼ透明な樹脂製の基材内に拡散粒子を多数分散して設けた構成とされ、透過する光を拡散させる機能を有する。光学シート１５ｂは、拡散板１５ａと比べると板厚が薄いシート状をなしており、２枚が積層して配されている。具体的な光学シート１５ｂの種類としては、例えば拡散シート、レンズシート、反射型偏光シートなどがあり、これらの中から適宜に選択して使用することが可能である。
【００３４】
フレーム１６は、図２に示すように、液晶パネル１１及び光学部材１５の外周縁部に沿う枠状をなしている。このフレーム１６と各受け板１４ｄとの間で光学部材１５における外縁部を挟持可能とされている（図４及び図５）。また、このフレーム１６は、液晶パネル１１における外縁部を裏側から受けることができ、表側に配されるベゼル１３との間で液晶パネル１１の外縁部を挟持可能とされる（図４及び図５）。
【００３５】
次に、ＬＥＤ１７及びＬＥＤ１７が実装されるＬＥＤ基板１８について説明する。ＬＥＤ１７は、図４及び図５に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、それにより、このＬＥＤ１７は、全体として白色発光が可能とされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の頂面（光学部材１５との対向面）が発光面となる、いわゆる頂面発光型とされており、その光軸がＺ軸方向、つまり液晶パネル１１の表示面（光学部材１５の板面）と直交する方向と一致するよう配されている。なお、ここで言う「光軸」とは、ＬＥＤ１７における発光光のうち、発光強度が最も高い光の進行方向と一致する軸のことである。
【００３６】
ＬＥＤ基板１８は、図３及び図４に示すように、表側から視て横長の方形状をなす基材を有しており、長辺方向（長さ方向）がＸ軸方向と一致し、短辺方向（幅方向）がＹ軸方向と一致する状態でシャーシ１４内において底板１４ａに沿って延在しつつ収容されている。ＬＥＤ基板１８の基材は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。なお、ＬＥＤ基板１８の基材に用いる材料としては、セラミックなどの絶縁材料を用いることも可能である。このＬＥＤ基板１８の基材の板面のうち、表側を向いた板面（光学部材１５側を向いた板面）には、上記した構成のＬＥＤ１７が表面実装されており、ここが実装面１８ａとされる。ＬＥＤ１７は、ＬＥＤ基板１８における長辺方向（Ｘ軸方向）に沿って複数が直線的に並列して間欠的に配されるとともに、ＬＥＤ基板１８に形成された配線パターンにより直列接続されている。各ＬＥＤ１７の配列ピッチは、ほぼ一定となっており、つまり各ＬＥＤ１７は、Ｘ軸方向（行方向）について等間隔に配列されていると言える。ＬＥＤ基板１８における長辺方向についての両端部には、配線パターンの端部に接続されたコネクタ部（基板接続部）１８ｃが設けられている。また、ＬＥＤ基板１８には、基板保持部材２０を通すための挿通孔１８ｂが所定位置に貫通形成されている。
【００３７】
上記した構成のＬＥＤ基板１８は、図３に示すように、シャーシ１４内においてＸ軸方向及びＹ軸方向にそれぞれ複数ずつ、互いに長辺方向及び短辺方向を揃えた状態で並列して配置されている。つまり、ＬＥＤ基板１８及びそこに実装されたＬＥＤ１７は、シャーシ１４内において共にＸ軸方向（シャーシ１４及びＬＥＤ基板１８の長辺方向）を行方向とし、Ｙ軸方向（シャーシ１４及びＬＥＤ基板１８の短辺方向）を列方向として行列状に配置（マトリクス状に配置、平面配置）されている。具体的には、ＬＥＤ基板１８は、シャーシ１４内においてＸ軸方向に３枚ずつ、Ｙ軸方向に９枚ずつ、合計２７枚が並列して配置されている。Ｘ軸方向に沿って並ぶことで１つの行をなす３枚のＬＥＤ基板１８は、隣り合うコネクタ部１８ｃ同士が嵌合接続されることで相互に電気的に接続されるとともに、シャーシ１４におけるＸ軸方向の両端に対応したコネクタ部１８ｃがシャーシ１４の裏面側外部に配された図示しないＬＥＤ駆動基板（光源駆動基板）に配線部材を介して接続されている。これにより、１つの行をなす各ＬＥＤ基板１８に配された各ＬＥＤ１７が直列接続されるとともに、その１つの行に含まれる多数のＬＥＤ１７の点灯・消灯をＬＥＤ駆動基板により一括して制御することができる。
【００３８】
拡散レンズ１９は、ほぼ透明で（高い透光性を有し）且つ屈折率が空気よりも高い合成樹脂材料（例えばポリカーボネートやアクリルなど）からなる。拡散レンズ１９は、図３から図５に示すように、所定の厚みを有するとともに、表側から視て略円形状に形成されており、ＬＥＤ基板１８に対して各ＬＥＤ１７を表側から個別に覆うよう、つまり表側から視て各ＬＥＤ１７と重畳するようそれぞれ取り付けられている。そして、この拡散レンズ１９は、ＬＥＤ１７から発せられた指向性の強い光を拡散させつつ出射させることができる。つまり、ＬＥＤ１７から発せられた光は、拡散レンズ１９を介することにより指向性が緩和されるので、隣り合うＬＥＤ１７間の間隔を広くとってもその間の領域が暗部として視認され難くなる。これにより、ＬＥＤ１７の設置個数を少なくすることが可能となっている。この拡散レンズ１９は、表側から視てＬＥＤ１７とほぼ同心となる位置に配されている。
【００３９】
詳細には、拡散レンズ１９は、図６及び図８に示すように、その径寸法がＬＥＤ１７の外形寸法よりも十分に大きいものの、ＬＥＤ基板１８の短辺寸法よりは少し小さいものとされる。拡散レンズ１９のうち、裏側を向き、ＬＥＤ１７と対向する面が、図７及び図９に示すように、ＬＥＤ１７からの光が入射される光入射面１９ａとされるのに対し、表側を向き、光学部材１５と対向する面が、光を出射する光出射面１９ｂとされる。このうち、光入射面１９ａは、全体としてはＬＥＤ基板１８の板面（Ｘ軸方向及びＹ軸方向）に沿って並行する平面状をなすものの、平面に視てＬＥＤ１７と重畳する領域には特に光入射側凹部１９ｃが形成されることでＬＥＤ１７の光軸に対して傾斜した傾斜面を有している。光入射側凹部１９ｃは、断面逆Ｖ字型の略円錐状をなすとともに拡散レンズ１９においてほぼ中心位置に配されている。ＬＥＤ１７から発せられて光入射側凹部１９ｃ内に入った光は、傾斜面によって広角に屈折されつつ拡散レンズ１９に入射する。拡散レンズ１９の光入射面１９ａからは、ＬＥＤ基板１８に対する取付構造であるレンズ支持部（光学素子支持部）１９ｄが裏側に向けて突出する形で設けられており、このレンズ支持部１９ｄがＬＥＤ基板１８の実装面１８ａに対して接着剤などによって固着されている。レンズ支持部１９ｄは、断面形状が略円形状となる略円柱状をなしており、拡散レンズ１９のうち外周端位置よりもやや内寄りの位置に配されている（図１０を参照）。レンズ支持部１９ｄは、拡散レンズ１９の中心位置からの距離がほぼ等しい位置に３つ、拡散レンズ１９の周方向に沿って間欠的に並んで配されており、その角度間隔がほぼ等しく、約１２０度とされる。このレンズ支持部１９ｄにより、拡散レンズ１９は、その本体部分（光入射面１９ａや光出射面１９ｂを有する円盤状部分）がＬＥＤ基板１８の表側に離れた位置に支持される。光出射面１９ｂは、表側に膨出する扁平な略球面状に形成されており、それにより、拡散レンズ１９から出射する光を広角に屈折させつつ出射させることが可能とされる。この光出射面１９ｂのうち表側から視てＬＥＤ１７と重畳する領域には、略擂鉢状をなす光出射側凹部１９ｅが形成されている。この光出射側凹部１９ｅにより、ＬＥＤ１７からの光の多くを広角に屈折させつつ出射させたり、或いはＬＥＤ１７からの光の一部をＬＥＤ基板１８側に反射させることができる。
【００４０】
基板保持部材２０は、ポリカーボネートなどの合成樹脂製とされており、表面が光の反射性に優れた白色を呈する。基板保持部材２０は、図４及び図５に示すように、ＬＥＤ基板１８の板面に沿う本体部２０ａと、本体部２０ａから裏側、つまりシャーシ１４側に向けて突出してシャーシ１４に固定される固定部２０ｂとを備える。本体部２０ａは、表側から視て略円形の板状をなすとともに、シャーシ１４の底板１４ａとの間でＬＥＤ基板１８及び次述する反射シート２１を共に挟持可能とされる。固定部２０ｂは、ＬＥＤ基板１８及びシャーシ１４の底板１４ａにおける基板保持部材２０の取付位置に対応してそれぞれ形成された挿通孔１８ｂ及び取付孔１４ｅを貫通しつつ底板１４ａに対して係止可能とされる。この基板保持部材２０は、図３に示すように、ＬＥＤ基板１８の面内において多数個が行列状に並列配置されており、具体的にはＸ軸方向について隣り合う拡散レンズ１９（ＬＥＤ１７）の間の位置にそれぞれ配されている。
【００４１】
なお、基板保持部材２０のうち、画面中央側に配された一対の保持部材２０には、図２から図４に示すように、本体部２０ａから表側に突出する支持部２０ｃが設けられており、この支持部２０ｃによって拡散板１５ａを裏側から支持することが可能とされ、それによりＬＥＤ１７と光学部材１５とのＺ軸方向の位置関係を一定に維持することができるとともに光学部材１５の不用意な変形を規制することができる。
【００４２】
反射シート２１は、合成樹脂製とされ、表面が光の反射性に優れた白色を呈するものとされる。反射シート２１は、図３から図５に示すように、シャーシ１４の内面のほぼ全域にわたって敷設される大きさを有しているので、シャーシ１４内に配された各ＬＥＤ基板１８をほぼ全域にわたって表側（光出射側、光学部材１５側）から覆うことが可能とされる。この反射シート２１によりシャーシ１４内の光を表側（光出射側、光学部材１５側）に向けて立ち上がるよう反射させることができるものとされる。反射シート２１は、シャーシ１４の底板１４ａ及びＬＥＤ基板１８に沿って延在するとともに各ＬＥＤ基板１８を一括してそのほぼ全域を覆う大きさの底部２１ａと、底部２１ａの各外端から表側に立ち上がるとともに底部２１ａに対して傾斜状をなす４つの立ち上がり部２１ｂと、各立ち上がり部２１ｂの外端から外向きに延出するとともにシャーシ１４の受け板１４ｄに載せられる延出部２１ｃとから構成されている。このうち、底部２１ａは、底板１４ａと同様に表側から視て横長な方形状をなしており、その大きさが底板１４ａより一回り小さい程度とされる。立ち上がり部２１ｂは、底部２１ａにおける一対の長辺側の端部と一対の短辺側の端部とからそれぞれ立ち上がるとともに底部２１ａに対して所定の傾斜角度（好ましくは４５度以下の傾斜角度）を有している。従って、反射シート２１は、全体として略擂鉢状をなしている、と言える。延出部２１ｃは、底部２１ａ及び受け板１４ｄに並行する片状をなしている。
【００４３】
この反射シート２１の底部２１ａは、底板１４ａの板面内において並んで配された複数のＬＥＤ基板１８に跨る形で配されている。従って、反射シート２１の底部２１ａは、各ＬＥＤ基板１８における表側の板面、つまりＬＥＤ１７の実装面１８ａに対して表側に重なって支持される部分と、ＬＥＤ基板１８とは重なり合わずにシャーシ１４の底板１４ａとの間に空隙を有する部分とを有することになる。反射シート２１の底部２１ａは、Ｚ軸方向（底板１４ａ及びＬＥＤ基板１８の重なり方向）について拡散レンズ１９とＬＥＤ基板１８との間に介在する形で配されている。そして、反射シート２１の底部２１ａには、図３に示すように、各拡散レンズ１９（各ＬＥＤ１７）と表側から視て重畳する位置に各拡散レンズ１９（各ＬＥＤ１７）を個別に挿通するレンズ挿通孔（挿通孔）２１ｄが開口して設けられている。レンズ挿通孔２１ｄは、各ＬＥＤ１７の配置に対応してＸ軸方向及びＹ軸方向について行列状（マトリクス状）に複数ずつ並列して配されている。各レンズ挿通孔２１ｄは、平面形状が拡散レンズ１９の外形に倣うものとされ、表側から視て略円形状をなしている。また、反射シート２１の底部２１ａには、各ＬＥＤ基板１８のコネクタ部１８ｃと表側から視て重畳する位置にコネクタ部１８ｃを個別に挿通するコネクタ挿通孔（接続部挿通孔）２１ｅが開口して設けられている。コネクタ挿通孔２１ｅは、各コネクタ部１８ｃの配置に対応してＸ軸方向について離間した２位置に、Ｙ軸方向に沿って複数ずつ並列して配されている。各コネクタ挿通孔２１ｅは、平面形状がコネクタ部１８ｃの外形に倣うものとされ、表側から視て略方形状をなしている。また、反射シート２１の底部２１ａには、各基板保持部材２０の固定部２０ｂを通す固定部挿通孔についても上記した各挿通孔２１ｄ，２１ｅと同様にして形成されている。
【００４４】
上記したように反射シート２１の底部２１ａには、拡散レンズ１９を通すためのレンズ挿通孔２１ｄが形成されているのであるが、仮に底部２１ａが表側に捲れよう変形した場合には、レンズ挿通孔２１ｄの孔縁が拡散レンズ１９の光出射面１９ｂに被さるような位置にまで変位し、光出射面１９ｂからの出射光を遮ることが懸念される。そこで、本実施形態では、図６から図９に示すように、反射シート２１の底部２１ａのうち、変形の発生が懸念される部分に配されたレンズ挿通孔２１ｄＡの孔縁を、拡散レンズ２１に対して表側から視て重畳する位置に配することで、底部２１ａが表側に変位するのを規制する規制部２２としている。その上で、規制部２２を有するレンズ挿通孔２１ｄの孔縁には、組み付け作業を行う際に規制部２２が拡散レンズ２１に対して表側から視て非重畳となる位置まで変位するよう、レンズ挿通孔２１ｄを拡開させる拡開許容部２３が設けられている。なお、以下では、レンズ挿通孔２１ｄのうち、特に規制部２２及び拡開許容部２３を備えるものについて示すときには、その符号２１ｄに添え字Ａを付すものとする。規制部２２によって反射シート２１の底部２１ａが表側に変位するのを規制することで、レンズ挿通孔２１ｄＡの孔縁が拡散レンズ１９の光出射面１９ｂに被さるような事態が回避され、それにより光出射面１９ｂからの出射光が遮られるのが防がれるとともに輝度ムラの発生が防止される。一方、拡開許容部２３によって規制部２２が拡散レンズ２１に対して表側から視て非重畳となる位置まで変位するよう、レンズ挿通孔２１ｄＡを拡開させることができるので、シャーシ１４内に拡散レンズ１９を設置した状態で反射シート２１を敷設する、といった手順で組み付け作業を行うことが可能となり、それにより作業効率及び生産性が良好なものとなる。以下、規制部２２及び拡開許容部２３の具体的な構成や配置などについて詳しく説明する。
【００４５】
規制部２２及び拡開許容部２３を備えないレンズ挿通孔２１ｄは、図６及び図８に示すように、その径寸法が拡散レンズ１９の径寸法よりも大きく設定されており、それにより拡散レンズ１９に対して反射シート２１の底部２１ａを表側から敷設する作業を容易に行うことができるようになっている。これに対して、規制部２２及び拡開許容部２３を備えるレンズ挿通孔２１ｄＡは、図１０に示すように、その径寸法が拡散レンズ１９の径寸法よりも小さくなる設定とされている。詳しくは、レンズ挿通孔２１ｄＡの孔径は、拡散レンズ１９における３本のレンズ支持部１９ｄを取り囲むような大きさとされる。そして、規制部２２は、レンズ挿通孔２１ｄＡの孔縁のうち拡散レンズ１９（詳しくは拡散レンズ１９の外周縁部）に対して表側から視て重畳する部分によって構成されており、表側から視てレンズ挿通孔２１ｄＡの全周にわたる略円環状をなしている。規制部２２は、図７及び図９に示すように、拡散レンズ１９の光入射面１９ａに対して裏側に対向状に配されており、Ｚ軸方向について拡散レンズ１９とＬＥＤ基板１８との間に介在する形で配されている。従って、反射シート２１の底部２１ａが変形し、表側に変位されようとした場合でも、略円環状をなす規制部２２が拡散レンズ１９の光入射面１９ａに対して干渉することで、表側へ変位を規制することができる。これにより、レンズ挿通孔２１ｄＡの孔縁が拡散レンズ１９の光出射面１９ｂに被さるような事態が回避されるようになっている。
【００４６】
拡開許容部２３は、図１０に示すように、レンズ挿通孔２１ｄＡの孔縁に形成されたスリット２４によって構成されている。スリット２４は、表側から視てレンズ挿通孔２１ｄＡの中心から放射方向に沿って延びるような直線状をなしており、その一端がレンズ挿通孔２１ｄＡ内に向けて開口し、他端が閉じた形態とされている。スリット２４は、レンズ挿通孔２１ｄＡの孔縁において約１８０度の角度間隔を空けた位置にほぼ同じ長さのものが一対配されており、レンズ挿通孔２１ｄＡの中心を通る同一直線上に位置している。従って、レンズ挿通孔２１ｄＡの孔縁（規制部２２）は、一対のスリット２４によってほぼ均等に分割されている、と言える。具体的には、レンズ挿通孔２１ｄＡの孔縁（規制部２２）は、表側から視て全体として略円環状（略ドーナツ状）をなしているが、一対のスリット２４によって一対の略半円環状の部位に分割されている。一対のスリット２４は、共にＸ軸方向に沿って延びる直線状をなしているので、Ｙ軸方向に沿って拡開可能とされる。これらスリット２４を拡開させると、レンズ挿通孔２１ｄＡも拡開されることで、その径寸法が元の大きさよりも大きくなり、拡散レンズ１９の径寸法よりも大きくなる状態にまで至らされる。なお、図１０では、スリット２４及びレンズ挿通孔２１ｄＡを拡開させた状態を二点鎖線により図示している。この状態では、レンズ挿通孔２１ｄＡの孔縁により構成される規制部２２は、拡散レンズ１９に対して表側から視て重畳しない位置に配されるので、拡散レンズ１９に対して反射シート２１の底部２１ａを表側から敷設する作業を行う際に拡散レンズ１９への規制部２２の干渉が避けられ、それにより作業を容易に行うことができる。一方、スリット２４を閉じた状態では、上記したようにレンズ挿通孔２１ｄＡの孔縁（規制部２２）は、略円環状をなしており、周方向について途中に開口部分を有することがないものとされる。
【００４７】
次に、反射シート２１の底部２１ａにおける規制部２２及び拡開許容部２３の配置について説明する。規制部２２及び拡開許容部２３は、図６及び図７に示すように、底部２１ａにおいて行列状に複数ずつ平面配置されたレンズ挿通孔２１ｄのうち、底部２１ａの四隅の角位置に配された各レンズ挿通孔２１ｄＡにそれぞれ備えられている。この四隅の角位置に配された各レンズ挿通孔２１ｄＡは、レンズ挿通孔２１ｄの中でも底部２１ａにおける中心から最も遠い位置に配されたものであるため、ＬＥＤ基板１８、シャーシ１４及び反射シート２１などに生じる寸法誤差や組み付け誤差などの影響によって、拡散レンズ１９に対して底部２１ａの面に沿う方向（Ｘ軸方向及びＹ軸方向）について位置ずれし易い傾向にある。このため、四隅の角位置に配された各レンズ挿通孔２１ｄＡの孔縁は、拡散レンズ１９に対して表側に変位し易く、光出射面１９ｂからの光を遮る可能性が他のレンズ挿通孔２１ｄに比べて高くなっていた。その点、上記したように四隅の角位置に配された各レンズ挿通孔２１ｄＡの孔縁を、それぞれ各拡散レンズ１９と重畳する規制部２２とし、同孔縁の表側への変位を規制することで、底部２１ａの変形及び輝度ムラの発生を抑制することができ、また拡開許容部２３によって組み付け作業の容易性が担保される。
【００４８】
しかも、四隅の角位置に配された各レンズ挿通孔２１ｄＡは、図６及び図７に示すように、反射シート２１のうち短辺側及び長辺側の２つの立ち上がり部２１ｂに対してそれぞれ隣り合う位置に配されているため、その孔縁には立ち上がり部２１ｂが底部２１ａから立ち上がるのに伴う残留応力が作用し易い傾向にあり、それに起因してその孔縁が表側に変位し易くなっているが、上記したように規制部２２によってその変位が良好に規制され、また拡開許容部２３によって組み付け作業の容易性が担保される。さらには、四隅の角位置に配された各レンズ挿通孔２１ｄＡは、ＬＥＤ基板１８の長辺方向についての端部に隣り合う位置、つまり底部２１ａのうちＬＥＤ基板１８によって支持される部分と支持されない部分との境界部分に最も近い位置に配されているため、シャーシ１４、ＬＥＤ基板１８及び反射シート２１の間に生じ得る段差や凹凸の影響を受け易くなっており、それにより各レンズ挿通孔２１ｄＡの孔縁に変位が生じ易くなっているが、上記したように規制部２２によってその変位が良好に規制され、また拡開許容部２３によって組み付け作業の容易性が担保される。
【００４９】
規制部２２及び拡開許容部２３は、上記した四隅の角位置に配された各レンズ挿通孔２１ｄＡ以外に、図８及び図９に示すように、底部２１ａのうち各ＬＥＤ基板１８のコネクタ部１８ｃを通す各コネクタ挿通孔２１ｅに隣り合う位置に配される各レンズ挿通孔２１ｄＡにも備えられている。本実施形態では、規制部２２及び拡開許容部２３は、各コネクタ挿通孔２１ｅに隣り合う位置に配される全てのレンズ挿通孔２１ｄＡにそれぞれ備えられている。各コネクタ挿通孔２１ｅの近傍位置では、底部２１ａをシャーシ１４との間で挟み込んで底部２１ａのＺ軸方向についての変位を規制可能な基板保持部材２０などの構造物を設置するのが難しく、底部２１ａが表側に変位するような変形が生じ易くなっているものの、そのコネクタ挿通孔２１ｅに隣り合う位置に配されるレンズ挿通孔２１ｄＡの孔縁に規制部２２が備えられることで、底部２１ａの変形を良好に規制することができ、また拡開許容部２３によって組み付け作業の容易性が担保される。コネクタ挿通孔２１ｅに通されるコネクタ部１８ｃは、ＬＥＤ基板１８の端部に配されたものであるから、各コネクタ挿通孔２１ｅに隣り合う位置に配される各レンズ挿通孔２１ｄＡは、ＬＥＤ基板１８の端部に隣り合う位置に配されることになる。各コネクタ挿通孔２１ｅに隣り合う位置に配される各レンズ挿通孔２１ｄＡには、反射シート２１の長辺側の立ち上がり部２１ｂに対して隣り合う位置に配されるものが含まれている。
【００５０】
本実施形態は以上のような構造であり、続いてその作用を説明する。液晶表示装置１０を製造するには、それぞれ別途に製造した液晶パネル１１、バックライト装置１２及びベゼル１３などを組み付けるようにする。以下、バックライト装置１２の製造手順を主として液晶表示装置１０の製造手順について説明する。
【００５１】
バックライト装置１２の組み付けに先立って、ＬＥＤ基板１８には、各ＬＥＤ１７が実装された後に、各ＬＥＤ１７を表側から個別に覆う形で拡散レンズ１９がそれぞれ取り付けられる。このＬＥＤ１７及び拡散レンズ１９をＬＥＤ基板１８上に実装する工程は、自動機によって効率的に行われる。このようにＬＥＤ基板１８は、予めＬＥＤ１７及び拡散レンズ１９が組み付けられた状態で、バックライト装置１２の組み付けに供される。バックライト装置１２の組み付けに際しては、各ＬＥＤ基板１８をシャーシ１４内に表側から収容するとともに底板１４ａの板面内における所定の位置に配する。全てのＬＥＤ基板１８をシャーシ１４内に収容したら、続いて反射シート２１を敷設する（組み付ける）作業を行う。
【００５２】
この反射シート２１の敷設に際しては、底部２１ａに形成されたレンズ挿通孔２１ｄのうち、規制部２２及び拡開許容部２３を備えるレンズ挿通孔２１ｄＡについては、拡開許容部２３であるスリット２４によって拡開させることができる。具体的には、底部２１ａを各ＬＥＤ基板１８上に載せると、規制部２２及び拡開許容部２３を備えない各レンズ挿通孔２１ｄについては、各拡散レンズ１９を挿通するものの、規制部２２及び拡開許容部２３を備える各レンズ挿通孔２１ｄＡについては、その孔縁（規制部２２）が各拡散レンズ１９に対して表側から被せられる。この状態で、底部２１ａのうち、各レンズ挿通孔２１ｄＡの周囲を、各スリット２４が開くような向き、つまりＹ軸方向に沿って各レンズ挿通孔２１ｄＡの中心から遠ざかるように引っ張ることで、図１０の二点鎖線に示すように、各スリット２４を拡開させてその対向する端面同士を離間させ、それに伴って各レンズ挿通孔２１ｄＡを拡開させることができる。このとき、各レンズ挿通孔２１ｄＡは、その径寸法が各拡散レンズ１９の径寸法よりも大きくなるまで拡開されることで、各規制部２２が拡散レンズ１９とは表側から視て非重畳の位置に至る。これにより、各レンズ挿通孔２１ｄＡに各拡散レンズ１９を通すことが許容される。そして、図７及び図９に示すように、底部２１ａをその全域にわたって各拡散レンズ１９の裏側に至らせて、各ＬＥＤ基板１８の実装面１８ａ上に重ね合わせることができる。
【００５３】
ここで、仮にＬＥＤ１７及び拡散レンズ１９を未実装のＬＥＤ基板１８をシャーシ１４内に組み付け、そこに反射シート２１を敷設した状態で、ＬＥＤ基板１８にＬＥＤ１７及び拡散レンズ１９を実装する、といった手順で作業を行った場合には、ＬＥＤ１７及び拡散レンズ１９の実装作業に自動機を使用することができないため、作業効率及び生産性が著しく悪化する。これに比べると、上記したように本実施形態では、予め自動機を用いてＬＥＤ１７及び拡散レンズ１９を実装したＬＥＤ基板１８をシャーシ１４に組み付けた後に、反射シート２１を敷設する、といった手順での作業が可能とされているから、作業効率及び生産性が良好なものとなる効果が得られる。
【００５４】
反射シート２１を敷設する作業を終えたら、続いて基板保持部材２０を取り付けることで、各ＬＥＤ基板１８及び反射シート２１をシャーシ１４に対して取付状態に保持する。その後、シャーシ１４の光出射部１４ｂを覆う形で各光学部材１５を積層配置してから、フレーム１６を取り付けることで、光学部材１５の保持を図るとともに、バックライト装置１２における表側の各部品の組み付けが完了する。それから、液晶パネル１１及びベゼル１３を組み付けることで、図４及び図５に示すように、液晶表示装置１０の組み付けが完了する。
【００５５】
上記のようにして製造されたバックライト１２を備える液晶表示装置１０を使用する際には、各ＬＥＤ１７を点灯させるとともに、液晶パネル１１に画像信号を供給するようにしており、それにより液晶パネル１１の表示面に所定の画像が表示されるようになっている。各ＬＥＤ１７を点灯させるのに伴い発せられた光は、図７及び図９に示すように、まず拡散レンズ１９の光入射面１９ａに入射する。このとき、光の大半は、光入射面１９ａのうち光入射側凹部１９ｃにおける傾斜面に入射することで、その傾斜角度に応じて広角に屈折されつつ拡散レンズ１９内に入射する。そして、入射した光は、拡散レンズ１９内を伝播した後、光出射面１９ｂから出射されるのであるが、この光出射面１９ｂは、扁平な略球面状をなしているので、外部の空気層との界面にて光がさらに広角に屈折されつつ出射される。しかも、光出射面１９ｂのうちＬＥＤ１７からの光量が最も多くなる領域には、略擂鉢状をなす光出射側凹部１９ｅが形成され、且つその周面が扁平な略球面状をなしているので、光出射側凹部１９ｅの周面にて光を広角に屈折させつつ出射させたり、或いはＬＥＤ基板１８側に反射させることができる。このうち、ＬＥＤ基板１８側に戻された光は、ＬＥＤ基板１８の表面に形成された反射層により拡散レンズ１９側に反射されて再び拡散レンズ１９に入射されることで有効利用されるので、高い輝度が得られる。特に、規制部２２及び拡開許容部２３を備える各レンズ挿通孔２１ｄＡに関しては、その孔縁である規制部２２が拡散レンズ１９に対して裏側に対向状に配されているのであるが、この規制部２２は、略円環状をなしていて全周にわたって途中に開口部分を有することなく配されているから、拡散レンズ１９側からの光をより効率的に反射して表側へ立ち上げることができ、もってより高い輝度を得ることができる。
【００５６】
ところで、液晶表示装置１０を使用するのに伴いＬＥＤ１７を点灯させると、そこから熱が発生するためにバックライト装置１２の内部の温度が上昇し、液晶表示装置１０の使用を止めるのに伴いＬＥＤ１７を消灯させると、バックライト装置１２の内部の温度が低下することになる。このようにバックライト装置１２の内部の温度環境が変化すると、それに伴って内部に配された部材に熱膨張や熱収縮が生じ得るものとされる。中でも、反射シート２１の底部２１ａについては、図６及び図８に示すように、ＬＥＤ１７からの距離が近い部分と、ＬＥＤ１７からの距離が遠い部分とを有しており、前者が後者よりも熱膨張及び熱収縮に伴う伸縮量が相対的に大きなものとなっている。上記伸縮量の差によって、底部２１ａのうちＬＥＤ１７からの距離が近い部分であるレンズ挿通孔２１ｄの孔縁には、反りや撓みなどの変形が生じ易くなっている。底部２１ａにおいて行列状に配置されたレンズ挿通孔２１ｄのうち、特に底部２１ａの角位置に配されるレンズ挿通孔２１ｄＡは、図６及び図７に示すように、立ち上がり部２１ｂに隣り合う位置に配されていて且つＬＥＤ基板の端部に隣り合う位置に配されていることも相まって、その孔縁に変形が生じ易くなっている。その点、本実施形態では、変形の発生が懸念されるレンズ挿通孔２１ｄＡに選択的に規制部２２を設けるようにしているので、その孔縁が表側に変位されようとした場合でも規制部２２が拡散レンズ１９に対して引っ掛かることで、それ以上の変位が規制される。これにより、レンズ挿通孔２１ｄＡの孔縁が拡散レンズ１９の表側にまで達して光出射面１９ａに被さるような事態が生じるのが防がれ、もって光出射面１９ａからの光が遮られることが防がれるとともにバックライト装置１２の出射光に輝度ムラが生じるのが防がれる。規制部２２は、底部２１ａの角位置に配されたレンズ挿通孔２１ｄＡ以外にも、図８及び図９に示すように、コネクタ挿通孔２１ｅに対して隣り合う位置に配されたレンズ挿通孔２１ｄＡにも設けられており、それにより底部２１ａのうち基板保持部材２０の非配置部分におけるレンズ挿通孔２１ｄＡの孔縁が表側に変位するのを規制して、輝度ムラの防止を図ることができる。
【００５７】
以上説明したように本実施形態のバックライト装置（照明装置）１２は、ＬＥＤ（光源）１７と、ＬＥＤ１７をその光出射側から覆う形で配されるとともにＬＥＤ１７からの光に光学的作用を付与してその光を出射する拡散レンズ（光学素子）１９と、ＬＥＤ１７に対して光出射側とは反対側に配される底板１４ａを有するシャーシ１４と、シャーシ１４の底板１４ａと拡散レンズ１９との間に介在する形で配されるとともに底板１４ａの板面に沿って延在していて光を反射させる反射シート（反射部材）２１であって、拡散レンズ１９を通すレンズ挿通孔（挿通孔）２１ｄを有する反射シート２１と、反射シート２１におけるレンズ挿通孔２１ｄＡの孔縁の少なくとも一部により構成され、拡散レンズ１９に対して光出射側から視て重畳する位置に配されることで、反射シート２１が光出射側に変位するのを規制可能な規制部２２と、反射シート２１におけるレンズ挿通孔２１ｄＡの孔縁に設けられ、規制部２２が拡散レンズ１９に対して光出射側から視て非重畳となる位置まで変位するよう、レンズ挿通孔２１ｄＡを拡開させる拡開許容部２３と、を備える。
【００５８】
このようにすれば、ＬＥＤ１７を点灯させると、ＬＥＤ１７をその光出射側から覆う形で配される拡散レンズ１９によってＬＥＤ１７からの光に光学作用が付与されてから出射される。当該バックライト装置１２内に存する光は、シャーシ１４の底板１４ａと拡散レンズ１９との間に介在する形で配されるとともに底板１４ａの板面に沿って延在する反射シート２１によって反射されることで、光出射側へと立ち上げられ、それにより当該バックライト装置１２の出射光として有効に利用される。
【００５９】
ところで、反射シート２１に反りや撓みなどの変形が生じ、反射シート２１が拡散レンズ１９に対して光出射側に変位した場合には、反射シート２１によって拡散レンズ１９からの光が遮られることが懸念される。その点、本実施形態では、反射シート２１におけるレンズ挿通孔２１ｄＡの孔縁の少なくとも一部により構成される規制部２２が、拡散レンズ１９に対して光出射側から視て重畳する位置に配されることで反射シート２１が光出射側に変位するのが規制されている。これにより、反射シート２１によって拡散レンズ１９からの光が遮られるのを防ぐことができ、もって当該バックライト装置１２の出射光にムラが生じ難くなっている。
【００６０】
ここで、上記のように拡散レンズ１９に対して光出射側から視て重畳する位置に規制部２２を設けるようにすると、当該バックライト装置１２の組み付けに際して、拡散レンズ１９を既設とした状態で、反射シート２１をその拡散レンズ１９の光出射側から組み付ける、といった手順での作業を行うのが難しくなる事が懸念される。その点、本実施形態では、反射シート２１におけるレンズ挿通孔２１ｄＡの孔縁に拡開許容部２３が設けられているから、反射シート２１の組み付けに際しては、拡開許容部２３によってレンズ挿通孔２１ｄＡを拡開させることで、規制部２２が拡散レンズ１９に対して光出射側から視て非重畳となる位置まで変位される。これにより、既設の拡散レンズ１９に対してその光出射側から反射シート２１を組み付ける作業を容易に行うことができる。本実施形態によれば、組み付け作業の容易性を担保しつつ反射シート２１の変形を規制することができる。
【００６１】
また、ＬＥＤ１７が複数実装されるとともに複数のＬＥＤ１７を個別に覆う形で拡散レンズ１９が複数取り付けられ、シャーシ１４の底板１４ａに対して光出射側に配されるＬＥＤ基板１８が備えられており、反射シート２１は、拡散レンズ１９とＬＥＤ基板１８との間に介在するよう配されるとともに、複数の拡散レンズ１９を個別に通すレンズ挿通孔２１ｄを複数有している。このようにすれば、複数のＬＥＤ１７が実装されるとともに複数の拡散レンズ１９が取り付けられた状態のＬＥＤ基板１８に対して反射シート２１を光出射側から組み付ける際にも、拡開許容部２３によってレンズ挿通孔２１ｄＡを拡開させることで、規制部２２が拡散レンズ１９に対して光出射側から視て非重畳となる位置まで変位されるから、反射シート２１の組み付け作業を容易に行うことができる。これにより、ＬＥＤ基板１８にＬＥＤ１７及び拡散レンズ１９を予め組み付けることができるから、生産性が高いものとなり、コスト面で有利となる。
【００６２】
また、ＬＥＤ基板１８は、シャーシ１４の底板１４ａの板面内に複数が並んだ状態で配されており、反射シート２１は、底板１４ａの板面に沿って延在するとともに複数のＬＥＤ基板１８に跨る形で配される底部２１ａを有している。このようにすれば、複数のＬＥＤ基板１８をシャーシ１４の底板１４ａの板面内に並んだ状態で組み付けた後に、底板１４ａに沿って延在するとともに複数のＬＥＤ基板１８に跨る形で配される底部２１ａを有する反射シート２１を、各ＬＥＤ基板１８に対して光出射側から容易に組み付けることができる。複数のＬＥＤ基板１８に、それぞれＬＥＤ１７及び拡散レンズ１９を予め組み付けておくことができるから、生産性がより高いものとなってコスト面でより有利となる。
【００６３】
また、反射シート２１の底部２１ａには、その面内にレンズ挿通孔２１ｄが行列状に複数ずつ並んで配されており、複数のレンズ挿通孔２１ｄのうち少なくとも底部２１ａの角位置に配されるレンズ挿通孔２１ｄＡは、その孔縁の少なくとも一部が規制部２２とされるとともにその孔縁に拡開許容部２３が設けられている。反射シート２１の底部２１ａの角位置に配されるレンズ挿通孔２１ｄＡは、その中央側に配されるレンズ挿通孔２１ｄに比べると、寸法誤差や組み付け誤差などの影響によって拡散レンズ１９に対して位置ずれし易い傾向にあり、それに起因して孔縁が拡散レンズ１９に対して光出射側に変位し易くなっている。その点、上記のように複数のレンズ挿通孔２１ｄのうち少なくとも底部２１ａの角位置に配されるレンズ挿通孔２１ｄＡについて、その孔縁の少なくとも一部を規制部２２とするとともにその孔縁に拡開許容部２３を設けるようにしておけば、規制部２２によって拡散レンズ１９に対するレンズ挿通孔２１ｄＡの孔縁の変位を規制することができるとともに拡開許容部２３によって組み付け作業の容易性についても十分に担保することができる。
【００６４】
また、反射シート２１は、底部２１ａの端部から光出射側に向けて立ち上がる立ち上がり部２１ｂを有しており、複数のレンズ挿通孔２１ｄのうち少なくとも立ち上がり部２１ｂに隣り合う位置に配されるレンズ挿通孔２１ｄＡは、その孔縁の少なくとも一部が規制部２２とされるとともにその孔縁に拡開許容部２３が設けられている。このようにすれば、底部２１ａの端部から光出射側に向けて立ち上がり部２１ｂは、底部２１ａからの立ち上がり角度に応じて当該バックライト装置１２内に存する光を角度付けしつつ反射することができる。立ち上がり部２１ｂに隣り合う位置に配されるレンズ挿通孔２１ｄＡの孔縁には、底部２１ａから立ち上がり部２１ｂが立ち上がっているのに伴う残留応力が作用し易い傾向にあって変形が生じ易くなっているものの、上記したようにそのレンズ挿通孔２１ｄＡについて、孔縁の少なくとも一部を規制部２２とするとともに孔縁に拡開許容部２３を設けるようにしておけば、規制部２２によって拡散レンズ１９に対するレンズ挿通孔２１ｄＡの孔縁の変位を規制することができるとともに拡開許容部２３によって組み付け作業の容易性についても十分に担保することができる。
【００６５】
また、複数のレンズ挿通孔２１ｄのうち少なくともＬＥＤ基板１８の端部に隣り合う位置に配されるレンズ挿通孔２１ｄＡは、その孔縁の少なくとも一部が規制部２２とされるとともにその孔縁に拡開許容部２３が設けられている。反射シート２１の底部２１ａは、複数のＬＥＤ基板１８に跨る形で配されているため、ＬＥＤ基板１８の端部付近においては寸法誤差や組み付け誤差などの影響によって段差や凹凸が生じ易くなっており、そのためＬＥＤ基板１８の端部に隣り合う位置に配されるレンズ挿通孔２１ｄＡの孔縁には、変形が生じ易くなっているものの、上記したようにそのレンズ挿通孔２１ｄＡについて、孔縁の少なくとも一部を規制部２２とするとともに孔縁に拡開許容部２３を設けるようにしておけば、規制部２２によって拡散レンズ１９に対するレンズ挿通孔２１ｄＡの孔縁の変位を規制することができるとともに拡開許容部２３によって組み付け作業の容易性についても十分に担保することができる。
【００６６】
また、複数のＬＥＤ基板１８は、シャーシ１４の底板１４ａの板面内において互いに隣り合って配されるとともに相互を電気的に接続するコネクタ部（基板接続部）１８ｃを有しているのに対し、反射シート２１の底部２１ａには、コネクタ部１８ｃを通すコネクタ挿通孔２１ｅが設けられており、複数のレンズ挿通孔２１ｄのうち少なくともコネクタ挿通孔２１ｅに対して隣り合う位置に配されるレンズ挿通孔２１ｄＡは、その孔縁の少なくとも一部が規制部２２とされるとともにその孔縁に拡開許容部２３が設けられている。コネクタ部１８ｃを通すコネクタ挿通孔２１ｅの近くでは、コネクタ部１８ｃが配されている都合上、反射シート２１の底部２１ａの変形を規制する他の構造物を設置し難くなっているものの、上記したように複数のレンズ挿通孔２１ｄのうち少なくともコネクタ挿通孔２１ｅに対して隣り合う位置に配されるレンズ挿通孔２１ｄＡについて、孔縁の少なくとも一部を規制部２２とするとともに孔縁に拡開許容部２３を設けるようにしておけば、規制部２２によって拡散レンズ１９に対するレンズ挿通孔２１ｄＡの孔縁の変位を規制することができるとともに拡開許容部２３によって組み付け作業の容易性についても十分に担保することができる。
【００６７】
また、拡散レンズ１９とＬＥＤ基板１８との間には、拡散レンズ１９をＬＥＤ基板１８におけるＬＥＤ１７の実装面から光出射側に離れた位置に支持するレンズ支持部１９ｄが拡散レンズ１９の周方向に沿って設けられており、レンズ挿通孔２１ｄＡは、レンズ支持部１９ｄを取り囲むような孔径を有している。このようにすれば、レンズ支持部１９ｄによって拡散レンズ１９をＬＥＤ基板１８におけるＬＥＤ１７の実装面から光出射側に離れた位置に支持することができ、それにより拡散レンズ１９の光学的機能を十分に発揮させることができる。レンズ挿通孔２１ｄＡがレンズ支持部１９ｄを取り囲むような孔径を有しているので、反射シート２１を拡散レンズ１９に対して光出射側から組み付ける際に、レンズ挿通孔２１ｄＡをレンズ支持部１９ｄに容易に通すことができる。
【００６８】
また、拡開許容部２３は、レンズ挿通孔２１ｄＡの孔縁に形成されたスリット２４により構成される。このようにすれば、反射シート２１を拡散レンズ１９に対して光出射側から組み付ける際には、スリット２４を拡開させることで、レンズ挿通孔２１ｄＡが拡開されるとともに規制部２２が拡散レンズ１９に対して光出射側から視て非重畳となる位置まで変位されて組み付けが許容される。組み付け後は、スリット２４を閉じることができるので、仮にレンズ挿通孔２１ｄＡの孔縁に部分的な開口部を形成することで拡開許容部２３を設けた場合に比べると、反射シート２１の面積を大きく確保することができるとともに規制部２２の形成範囲についても大きくすることができる。これにより、反射シート２１によってより多くの光を反射して光の利用効率を向上させることができるとともに、規制部２２による反射シート２１の変形防止機能を向上させることができる。
【００６９】
また、規制部２２は、レンズ挿通孔２１ｄＡの孔縁の全周にわたって配されている。このようにすれば、レンズ挿通孔２１ｄＡの孔縁の全周にわたって配される規制部２２によって、反射シート２１が拡散レンズ１９に対して光出射側に変位するのをより確実に規制することができる。
【００７０】
また、スリット２４は、レンズ挿通孔２１ｄＡの孔縁において一対が一直線上に位置するよう配されている。このようにすれば、レンズ挿通孔２１ｄＡを容易に拡開することができて作業性に優れる。
【００７１】
＜実施形態２＞
本発明の実施形態２を図１１によって説明する。この実施形態２では、レンズ挿通孔１２１ｄＡの形状を変更したものを示す。なお、上記した実施形態１と同様の構造、作用及び効果について重複する説明は省略する。
【００７２】
本実施形態に係るレンズ挿通孔１２１ｄＡは、図１１に示すように、表側から視た形状が縦長な略長円形状（略楕円形状）をなしている。詳しくは、レンズ挿通孔１２１ｄＡは、長辺方向（長軸方向）がＹ軸方向と、短辺方向（短軸方向）がＸ軸方向とそれぞれ一致しており、長辺寸法（長軸寸法）が拡散レンズ１１９の径寸法よりも大きいのに対し、短辺寸法（短軸寸法）が拡散レンズ１１９の径寸法よりも小さくなっている。従って、レンズ挿通孔１２１ｄＡの孔縁のうち、長辺側の両孔縁が表側から視て拡散レンズ１１９と重畳する一対の規制部１２２とされている。一方、レンズ挿通孔１２１ｄＡの孔縁のうち、短辺側の両孔縁と拡散レンズ１１９との間には、表側から視て開口部２５がそれぞれ形成されることになる。この開口部２５がレンズ挿通孔１２１ｄＡの拡開を許容する拡開許容部１２３を構成している。レンズ挿通孔１２１ｄＡは、その孔縁が短辺方向（Ｘ軸方向）に沿って中心から遠ざかる方向に引っ張られることで、短辺側の両孔縁がレンズ挿通孔１２１ｄＡの中心に近づく方向に変位されるとともに長辺側の両孔縁がレンズ挿通孔１２１ｄＡの中心から遠ざかる方向に変位される。つまり、元は縦長な略長円形状であるレンズ挿通孔１２１ｄＡは、その孔縁が引っ張られることで、拡散レンズ１１９と同様の略円形状に変形される。このとき、拡開許容部１２３を構成する開口部２５は、その開口面積が小さくなるのに対し、規制部１２２は、拡散レンズ１１９との重畳面積が小さくなる。そして、規制部１２２が拡散レンズ１１９の外側に達し、表側から視て非重畳となったところで、拡散レンズ１１９にレンズ挿通孔１２１ｄＡをスムーズに通すことが可能となり、もって反射シート１２１の底部１２１ａを容易に組み付けることができる。なお、図１１では、レンズ挿通孔１２１ｄＡを拡開させた状態を二点鎖線により図示している。
【００７３】
以上説明したように本実施形態によれば、拡開許容部１２３は、レンズ挿通孔１２１ｄＡの孔縁に部分的に形成された開口部２５により構成されている。このようにすれば、反射シート１２１を拡散レンズ１１９に対して光出射側から組み付ける際には、レンズ挿通孔１２１ｄＡの孔縁に部分的に形成された開口部２５によってレンズ挿通孔１２１ｄＡを拡開させることが許容されるので、それに伴って規制部１２２が拡散レンズ１１９に対して光出射側から視て非重畳となる位置まで変位されて組み付けが許容される。仮にレンズ挿通孔１２１ｄＡの孔縁にスリットを形成することで拡開許容部１２３を設けた場合に比べると、レンズ挿通孔１２１ｄＡを拡開させる際にレンズ挿通孔１２１ｄＡの孔縁に切れなどが生じ難くなる。
【００７４】
また、拡散レンズ１１９が光出射側から視て略円形をなすのに対し、レンズ挿通孔１２１ｄＡは、光出射側から視て略長円形状をなすとともにその長辺寸法が拡散レンズ１１９の径寸法よりも大きいのに対して、短辺寸法が拡散レンズ１１９の径寸法よりも小さくなっており、レンズ挿通孔１２１ｄＡの孔縁における長辺側の孔縁が、光出射側から視て拡散レンズ１１９と重畳する規制部１２２とされるのに対し、開口部２５は、光出射側から視てレンズ挿通孔１２１ｄＡの孔縁における短辺側の孔縁と拡散レンズ１１９との間に形成されることで拡開許容部１２３を構成している。このようにすれば、反射シート１２１を拡散レンズ１１９に対して光出射側から組み付ける際には、レンズ挿通孔１２１ｄＡの孔縁における短辺側の孔縁と拡散レンズ１１９との間に形成される開口部２５により構成される拡開許容部１２３によって、略長円形状をなすレンズ挿通孔１２１ｄＡを短辺方向に沿って拡開させることが許容されるので、それに伴って長辺側の孔縁により構成される規制部１２２が拡散レンズ１１９に対して光出射側から視て非重畳となる位置まで変位されて組み付けが許容される。
【００７５】
＜実施形態３＞
本発明の実施形態３を図１２によって説明する。この実施形態３では、上記した実施形態１からスリット２２４の設置数及び配置を変更したものを示す。なお、上記した実施形態１と同様の構造、作用及び効果について重複する説明は省略する。
【００７６】
本実施形態に係る拡開許容部２２３を構成するスリット２２４は、図１２に示すように、表側から視てレンズ挿通孔２２１ｄＡの中心から放射方向に沿って延びるような直線状をなすとともに、レンズ挿通孔２２１ｄＡの孔縁にその周方向に沿って３本が並んで設けられている。３本のスリット２２４は、レンズ挿通孔２２１ｄＡの孔縁において等角度間隔、具体的には約１２０度の角度間隔を空けた位置に間欠的に並んで配されている。従って、レンズ挿通孔２２１ｄＡの孔縁（規制部２２２）は、３本のスリット２２４によってほぼ均等に３つに分割されている、と言える。具体的には、レンズ挿通孔２２１ｄＡの孔縁（規制部２２２）は、表側から視て全体として略円環状（略ドーナツ状）をなしているが、３本のスリット２２４によって３つの略扇形の片部２６に分割されている。各片部２６は、それぞれ片持ち状をなしており、スリット２２４の奥端位置を基端部として弾性変形することが可能とされる。従って、反射シート２２１の敷設に際しては、各片部２６の自由端部を拡散レンズ２１９に対して表側に乗り上げさせた後、各スリット２２４を拡開させつつ各片部２６を変形させることで、レンズ挿通孔２２１ｄＡを拡開させて規制部２２２を拡散レンズ２１９の裏側へ至らせることができる。
【００７７】
＜実施形態４＞
本発明の実施形態４を図１３によって説明する。この実施形態４では、上記した実施形態３からスリット３２４の設置数及び配置をさらに変更したものを示す。なお、上記した実施形態３と同様の構造、作用及び効果について重複する説明は省略する。
【００７８】
本実施形態に係る拡開許容部３２３を構成するスリット３２４は、図１３に示すように、表側から視てレンズ挿通孔３２１ｄＡの中心から放射方向に沿って延びるような直線状をなすとともに、レンズ挿通孔３２１ｄＡの孔縁にその周方向に沿って４本が並んで設けられている。４本のスリット３２４は、レンズ挿通孔３２１ｄＡの孔縁において等角度間隔、具体的には約９０度の角度間隔を空けた位置に間欠的に並んで配されている。従って、レンズ挿通孔３２１ｄＡの孔縁（規制部３２２）は、４本のスリット３２４によってほぼ均等に４つに分割されている、と言える。具体的には、レンズ挿通孔３２１ｄＡの孔縁（規制部３２２）は、表側から視て全体として略円環状（略ドーナツ状）をなしているが、４本のスリット３２４によって４つの略扇形の片部３２６に分割されている。
【００７９】
＜実施形態５＞
本発明の実施形態５を図１４または図１５によって説明する。この実施形態５では、ＬＥＤ基板４１８の構成を変更したものを示す。なお、上記した実施形態１と同様の構造、作用及び効果について重複する説明は省略する。
【００８０】
本実施形態に係るＬＥＤ基板４１８は、図１４に示すように、シャーシ４１４の長辺方向（Ｘ軸方向）について左右に対をなす形で配されている。具体的には、ＬＥＤ基板４１８は、シャーシ４１４内においてＸ軸方向（行方向）に２枚ずつ、Ｙ軸方向（列方向）に１０枚ずつ、合計２０枚が行列状に並列して配置されている。各ＬＥＤ基板４１８は、その長辺方向の両端部のうち一方の端部にのみコネクタ部４１８ｃが設けられた構成とされる。コネクタ部４１８ｃは、Ｘ軸方向に沿って並ぶ一対のＬＥＤ基板４１８のうち互いに隣り合う各端部とは反対側の各端部、つまりシャーシ４１４の長辺方向の両端に位置する各端部に配されている。Ｘ軸方向に沿って並ぶ一対のＬＥＤ基板４１８が有する各コネクタ部４１８ｃには、図示しない配線部材がそれぞれ個別に接続されることで、外部のＬＥＤ駆動基板によって各ＬＥＤ基板４１８毎に各ＬＥＤの駆動を制御することが可能とされる。
【００８１】
Ｘ軸方向に沿って並ぶ一対のＬＥＤ基板４１８のうち互いに隣り合う各端部（シャーシ４１４の長辺方向の中央側に位置する各端部）には、図１５に示すように、ＬＥＤ及び拡散レンズ４１９が実装されている。そして、反射シート４２１の底部４２１ａのうち、ＬＥＤ基板４１８におけるコネクタ部４１８ｃ側とは反対側の端部に配された拡散レンズ４１９を通すレンズ挿通孔４２１ｄＡの孔縁には、規制部４２２及び拡開許容部４２３（スリット４２４）が備えられている。ＬＥＤ基板４１８の端部付近では、コネクタ部４１８ｃの有無に拘わらず、基板保持部材４２０のような底部４２１ａの変形を規制する構造物を設置し難いことから、そこに位置するレンズ挿通孔４２１ｄＡの孔縁に規制部４２２及び拡開許容部４２３を配することで、底部４２１ａの変形を良好に規制しつつ反射シート４２１の組み付けに係る作業性を担保することができる。
【００８２】
＜他の実施形態＞
本発明は上記記述及び図面によって説明した実施形態に限定されるものではなく、例えば次のような実施形態も本発明の技術的範囲に含まれる。
（１）上記した各実施形態以外にも、反射シートの底部の面内における規制部及び拡開許容部を備えるレンズ挿通孔の配置は適宜に変更可能である。例えば、ＬＥＤ基板の端部に隣り合うレンズ挿通孔の全てに規制部及び拡開許容部を設置したり、また反射シートの各立ち上がり部に隣り合うレンズ挿通孔（底部の外周端側に配されるレンズ挿通孔）の全てに規制部及び拡開許容部を設置することも可能である。また、ＬＥＤ基板の端部に隣り合うレンズ挿通孔の一部に規制部及び拡開許容部を設置するに際して、その配置を変更することも可能である。同様に反射シートの各立ち上がり部に隣り合うレンズ挿通孔の一部に規制部及び拡開許容部を設置するに際して、その配置を変更することも可能である。
【００８３】
（２）上記した（１）以外にも、例えば反射シートの底部においてコネクタ挿通孔に隣り合うレンズ挿通孔の一部にのみ規制部及び拡開許容部を設置したり、底部の角位置に配されるレンズ挿通孔の一部にのみ規制部及び拡開許容部を設置することも可能である。
【００８４】
（３）上記した（１），（２）以外にも、例えば反射シートの底部に形成された全てのレンズ挿通孔の孔縁に規制部及び拡開許容部を設置することも可能である。
【００８５】
（４）上記した実施形態１では、一対のスリットがＸ軸方向に沿って直線状をなす形状としたものを示したが、例えば一対のスリットがＹ軸方向に沿って直線状をなす形状とされたものや、一対のスリットがＸ軸方向及びＹ軸方向の双方に対して傾いた方向に沿って直線状をなす形状とされたものも本発明に含まれる。この技術事項は、実施形態３，４に記載したものにおいても同様に適用可能である。
【００８６】
（５）上記した実施形態１，３，４では、スリットが表側から視て直線状に形成された場合を示したが、スリットが表側から視て曲線状に形成されたものも本発明に含まれる。
【００８７】
（６）上記した実施形態１，３，４では、複数のスリットの長さが互いにほぼ同じ程度とされるものを示したが、長さが異なるスリットを設置することも可能である。
【００８８】
（７）上記した実施形態１，３，４では、複数のスリットがレンズ挿通孔の孔縁において等角度間隔に配されるものを示したが、複数のスリットがレンズ挿通孔の孔縁において不等角度間隔に配されるものも本発明に含まれる。
【００８９】
（８）上記した実施形態２では、表側から視て略長円形状をなすレンズ挿通孔が長辺方向をＹ軸方向と、短辺方向をＸ軸方向とそれぞれ一致させた形状とされるものを示したが、略長円形状をなすレンズ挿通孔が長辺方向をＸ軸方向と、短辺方向Ｙ軸方向とそれぞれ一致させた形状とされるものも本発明に含まれる。また、略長円形状をなすレンズ挿通孔の長辺方向及び短辺方向が、それぞれＸ軸方向及びＹ軸方向の双方に対して傾いた方向と一致する形状とされるものも本発明に含まれる。
【００９０】
（９）上記した実施形態２では、レンズ挿通孔を表側から視て略長円形状とすることで、その孔縁の一部に拡開許容部をなす開口部を形成した場合を示したが、それ以外にもレンズ挿通孔の平面形状は適宜に変更可能であり、例えば表側から視て四角形（正方形、長方形など）、三角形、五角形、台形などの多角形形状とすることも可能である。
【００９１】
（１０）上記した各実施形態では、拡散レンズに３本のレンズ支持部が等角度間隔に配置された構成のものを示したが、レンズ支持部の設置数及び配置は適宜に変更可能である。
【００９２】
（１１）上記した各実施形態では、拡散レンズに略円柱状をなすレンズ支持部を複数設けるようにしたものを示したが、レンズ支持部の形状は適宜に変更可能である。例えば、角柱状に形成したレンズ支持部を拡散レンズに複数設置したり、拡散レンズの外形に倣う円環状に形成したレンズ支持部を拡散レンズに１つのみ設置することも可能である。
【００９３】
（１２）上記した各実施形態では、レンズ支持部を拡散レンズに一体形成した場合を示したが、ＬＥＤ基板に一体的に設けるようにすることも可能である。それ以外にも、レンズ支持部を拡散レンズ及びＬＥＤ基板の双方に対して別部品とし、両者に対して接着材などの固着材によって固着するようにしてもよい。
【００９４】
（１３）上記した各実施形態以外にも、シャーシにおけるＬＥＤ基板の設置数や配置、ＬＥＤ基板におけるＬＥＤ及び拡散レンズの実装数や配置などは適宜に変更可能である。また、シャーシ及びＬＥＤ基板における基板保持部材の設置数や配置は適宜に変更可能である。
【００９５】
（１４）上記した各実施形態では、光学素子（光学レンズ）としてＬＥＤからの光を拡散させる拡散レンズを用いたものを示したが、それ以外にも、例えば集光作用を有する集光レンズなどを光学素子として用いたものも本発明に含まれる。
【００９６】
（１５）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【００９７】
（１６）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００９８】
（１７）上記した各実施形態では、表示パネルとして液晶パネルを用いた液晶表示装置を例示したが、他の種類の表示パネルを用いた表示装置にも本発明は適用可能である。
【００９９】
（１８）上記した各実施形態では、チューナーを備えたテレビ受信装置を例示したが、チューナーを備えない表示装置にも本発明は適用可能である。
【符号の説明】
【０１００】
１０…液晶表示装置（表示装置）、１１…液晶パネル（表示パネル）、１２…バックライト装置（照明装置）、１４，４１４…シャーシ、１４ａ…底板、１７…ＬＥＤ（光源）、１８，４１８…ＬＥＤ基板（光源基板）、１８ｃ，４１８ｃ…コネクタ部（基板接続部）、１９，１１９，２１９，４１９…拡散レンズ（光学素子）、１９ｄ…レンズ支持部（光学素子支持部）、２１，１２１，２２１，４２１…反射シート（反射部材）、２１ａ，１２１ａ，４２１ａ…底部、２１ｂ…立ち上がり部、２１ｄ…レンズ挿通孔（挿通孔）、２１ｄＡ，１２１ｄＡ，２２１ｄＡ，３２１ｄＡ，４２１ｄＡ…レンズ挿通孔（挿通孔）、２１ｅ…コネクタ挿通孔（接続部挿通孔）、２２，１２２，２２２，３２２，４２２…規制部、２３，１２３，２２３，３２３，４２３…拡開許容部、２４，２２４，３２４，４２４…スリット、２５…開口部、ＴＶ…テレビ受信装置
【図１】
2013118055.tif 000003
【図２】
2013118055.tif 000004
【図３】
2013118055.tif 000005
【図４】
2013118055.tif 000006
【図５】
2013118055.tif 000007
【図６】
2013118055.tif 000008
【図７】
2013118055.tif 000009
【図８】
2013118055.tif 000010
【図９】
2013118055.tif 000011
【図１０】
2013118055.tif 000012
【図１１】
2013118055.tif 000013
【図１２】
2013118055.tif 000014
【図１３】
2013118055.tif 000015
【図１４】
2013118055.tif 000016
【図１５】
2013118055.tif 000017